(57)【要約】【課題】  台所の吊棚等が設置される部分における奥のスペースや天井に近い高い部分を有効に活用できる昇降装置を提供する。【解決手段】  昇降棚１４を元の位置からほぼ垂直下方に引き出し自在とする昇降装置は、昇降棚１４がその中を移動する枠体と、枠体と昇降棚１４との間に接続され、元の位置に戻るように昇降棚１４を付勢する付勢手段と、枠体と昇降棚１４との間に取り付けられ、元の位置への昇降棚１４の移動を阻止する移動阻止手段とから構成されている。ハンドル２５を介して下方に力を入れると、昇降棚１４は付勢手段に反して下方向に移動する。その位置でハンドル２５から手を離すと、移動阻止手段が能動化され昇降棚１４はその位置で停止する。ハンドル２５に対して上方向に力を加えると、移動阻止手段が非能動化され付勢手段による付勢力によって昇降棚１４は上昇する。【選択図】      図２
2006305063.tif 000002
【特許請求の範囲】
【請求項１】
昇降棚を元の位置からほぼ垂直下方に引き出し自在とする昇降装置であって、
前記昇降棚がその中又は近傍を移動する枠体と、
前記枠体と前記昇降棚との間に接続され、前記元の位置に戻るように前記昇降棚を付勢する付勢手段と、
前記枠体と前記昇降棚との間に取り付けられ、前記元の位置への前記昇降棚の移動を阻止することができる移動阻止手段とを備えた、昇降装置。
【請求項２】
前記移動阻止手段は、前記昇降棚に取り付けられ、第１の位置と第２の位置とに回動自在のレバーを含み、
前記レバーが第１の位置にあっては、前記移動阻止手段が能動化し、
前記レバーの前記第２の位置への移動に応答して、前記移動阻止手段が非能動化する、請求項１記載の昇降装置。
【請求項３】
前記レバーは、前記昇降棚の下方に設置される、請求項２記載の昇降装置。
【請求項４】
前記昇降棚は、スライドレールを介して前記枠体に取り付けられ、
前記移動阻止手段は、
前記レバーを前記第１の位置に付勢するバネ手段と、
前記スライドレールの一部を前記枠体側に固定するための、板状のレール保持体と、
前記昇降棚側に固定され、前記レール保持体に所定間隔を空けて対向するくさび体と、
前記昇降棚側に取り付けられてその先端にローラーを備え、前記レバーと連動して前記所定間隔に対して出し入れ自在のローラー手段とを備え、
前記所定間隔は下方に向かって狭まるように前記くさび体は構成され、前記レバーが前記第１の位置にある時、前記ローラーは、前記保持体及び前記くさび体に同時に接する位置に移動し、前記レバーが前記第２の位置にある時、前記ローラーは前記レール保持体及び前記くさび体に少なくとも同時に接しない位置に移動する、請求項２又は請求項３記載の昇降装置。
【請求項５】
前記付勢手段による付勢力は、前記昇降棚の下方に移動しようとする重量に基づく力より大きく設定されている、請求項４記載の昇降装置。
【請求項６】
前記スライドレールは、前記昇降棚の背面の中央に設けられ、前記移動阻止手段は、前記スライドレールの両側に一対設けられる、請求項４又は請求項５記載の昇降装置。
【発明の詳細な説明】
【技術分野】
【０００１】
この発明は昇降装置に関し、特に台所の吊棚等に組み込んで使用する昇降装置に関するものである。
【背景技術】
【０００２】
図９は従来の台所の概略図であり、図１０は図９で示したＸ−Ｘラインの拡大断面図である。
【０００３】
これらの図を参照して、台所の調理台１８の上方であって天井１６の部分に吊戸棚６７が取り付けられている。
【０００４】
吊戸棚６７は、この図にあっては、前面に両開きの前扉６８が取り付けられ、その内部に棚板７０が設置されている。使用時にあっては、前扉６８を開き内部の棚板７０等に台所用品や食器等を格納して使用する。
【発明の開示】
【発明が解決しようとする課題】
【０００５】
上記のような従来の台所のレイアウトでは、吊戸棚のように台所において上部に設置され、その奥行（図１０において寸法Ｗ）が深いものについては、奥のスペースが十分活用されているとは言えない。又、吊棚等の天井に近い部分は、前面にあってもその高さからやはり十分に活用されているとは言えない。
【０００６】
この発明は上記のような課題を解決するためになされたもので、台所の吊棚等が設置される部分における奥のスペースや天井に近い高い部分を有効に活用できる昇降装置を提供することを目的とする。
【課題を解決するための手段】
【０００７】
上記の目的を達成するために、請求項１記載の発明は、昇降棚を元の位置からほぼ垂直下方に引き出し自在とする昇降装置であって、昇降棚がその中又は近傍を移動する枠体と、枠体と昇降棚との間に接続され、元の位置に戻るように昇降棚を付勢する付勢手段と、枠体と昇降棚との間に取り付けられ、元の位置への昇降棚の移動を阻止することができる移動阻止手段とを備えたものである。
【０００８】
このように構成すると、移動阻止手段が能動化すると昇降棚はその位置で停止する。
【０００９】
請求項２記載の発明は、請求項１記載の発明の構成において、移動阻止手段は昇降棚に取り付けられ、第１の位置と第２の位置とに回動自在のレバーを含み、レバーが第１の位置にあっては移動阻止手段が能動化し、レバーの第２位置への移動に応答して移動阻止手段が非能動化するものである。
【００１０】
このように構成すると、レバーが第１の位置にあると昇降棚の移動が停止し、レバーが第２の位置に移動すると昇降棚は移動可能となる。
【００１１】
請求項３記載の発明は、請求項２記載の発明の構成において、レバーは昇降棚の下方に設置されるものである。
【００１２】
このように構成すると、昇降棚が枠体内に収納された時でもレバーの操作が可能となる。
【００１３】
請求項４記載の発明は、請求項２又は請求項３記載の発明の構成において、昇降棚は、スライドレールを介して枠体に取り付けられ、移動阻止手段は、レバーを第１の位置に付勢するバネ手段と、スライドレールの一部を枠体側に固定するための、板状のレール保持体と、昇降棚側に固定され、レール保持体に所定間隔を空けて対向するくさび体と、昇降棚側に取り付けられてその先端にローラーを備え、レバーと連動して所定間隔に対して出し入れ自在のローラー手段とを備え、所定間隔は下方に向かって狭まるようにくさび体は構成され、レバーが第１の位置にある時ローラーは保持体及びくさび体に同時に接する位置に移動し、レバーが第２の位置にある時、ローラーは保持体及びくさび体に少なくとも同時に接しない位置に移動するものである。
【００１４】
このように構成すると、ローラーの接触状態によって、レバーが第１の位置にある時くさび体はレール保持体に対して移動できず、レバーが第２の位置にある時くさび体はレール保持体に対して移動可能となる。
【００１５】
請求項５記載の発明は、請求項４記載の発明の構成において、付勢手段による付勢力は、昇降棚の下方に移動しようとする重量に基づく力より大きく設定されているものである。
【００１６】
このように構成すると、レバーを第２の位置に移動させると昇降棚は上昇する。
【００１７】
請求項６記載の発明は、請求項４又は請求項５記載の発明の構成において、スライドレールは昇降棚の背面の中央に設けられ、移動阻止手段はスライドレールの両側に一対設けられるものである。
【００１８】
このように構成すると、一対のローラーは一対のレール保持体の各々と一対のくさび体の各々との間に出し入れ自在となる。
【発明の効果】
【００１９】
以上説明したように、請求項１記載の発明は、移動阻止手段が能動化すると昇降棚はその位置で停止するため、昇降棚の高さを所望の位置に設定できるため使い勝手が良い。
【００２０】
請求項２記載の発明は、請求項１記載の発明の効果に加えて、レバーが第１の位置にあると昇降棚の移動が停止し、レバーが第２の位置に移動すると昇降棚は移動可能となるため、レバーの操作によって昇降棚を所望の位置に移動することが可能となる。
【００２１】
請求項３記載の発明は、請求項２記載の発明の効果に加えて、昇降棚が枠体内に収納された状態でもレバーの操作が可能となるため、枠体内にレバーの設置スペースを考慮する必要がないので、コスト的に有利な構造となる。
【００２２】
請求項４記載の発明は、請求項２又は請求項３記載の発明の効果に加えて、ローラーの接触状態によってくさび体の移動が制御されるため、昇降棚の移動及び停止がスムーズに実現される。
【００２３】
請求項５記載の発明は、請求項４記載の発明の効果に加えて、レバーを第２の位置に移動すると昇降棚は上昇するため、昇降棚を押し上げる力が不要となるため使い勝手が良い。又、レバーを第１の位置に戻すとローラーはレール保持体とくさび体との間に挟まれた状態となるので、昇降棚の移動が確実に阻止されるため信頼性が向上する。
【００２４】
請求項６記載の発明は、請求項４又は請求項５記載の発明の効果に加えて、一対のローラーを介して昇降棚に加わる力が両側に生じるため、昇降棚の移動及び停止がよりスムーズとなる。
【発明を実施するための最良の形態】
【００２５】
図１はこの発明の第１の実施の形態による昇降装置が組み込まれた状態を示した台所の概略図であり、図２は図１で示したＩＩ−ＩＩラインの拡大断面図であり、図３は図２で示したＩＩＩ−ＩＩＩラインの断面図であり、図４は図２で示したＩＶ−ＩＶラインの断面図であり、図５は図２で示したＶ−Ｖラインの拡大断面図である。
【００２６】
これらの図を参照して、台所の調理台１８の上方であって天井１６の角の部分に吊棚１５が設置されている。吊棚１５はその前面が開放され棚板７０が取り付けられている。棚板７０の奥側には上下方向に背板１９が取り付けられ、更にその壁７２側には、上下に伸びる奥板２０が取り付けられている。背板１９と壁７２との間には昇降棚１４が取り付けられている。
【００２７】
昇降棚１４の両側には図３に示されているように側板４４ａ，側板４４ｂが上下方向に取り付けられている。すなわち、昇降棚１４は、背板１９、奥板２０及び側板４４ａ，側板４４ｂからなる枠体内部に収納されており、後述するようにこの枠体内を下方向に引き出し自在となるように構成されている。
【００２８】
昇降棚１４は奥板２０側に位置する矩形形状の背面板４２と、背面板４２の左右両側から前方に伸び、側板４４ａ，側板４４ｂ側に位置する側面板２２ａ，側面板２２ｂによって全体の骨格が形成されている。尚、背面板４２の下方には複数の横バーからなる桟が形成されており、これにしゃもじ等の台所用品を掛けて使用できるように構成されている。
【００２９】
次に、この昇降装置の付勢手段について説明する。付勢手段は巻取りドラム３２に巻回されている鋼製のベルト３３を中心として構成されている。このベルト３３は巻回されることによってほぼ一定の力で昇降棚１４を上方に付勢するものである。尚、巻取りドラム３２は軸を介して支持板３７ａ，支持板３７ｂに取り付けられ、支持板３７ａ，支持板３７ｂは天井１６側に配置された天板４５に取り付けられている。
【００３０】
一方、ベルト３３の下端は接続板３６を介して昇降棚１４の背面板４２に接続されている。これによって昇降棚１４は下方に枠体から引き出し可能に移動できると共に、移動した位置にあっては、ほぼ一定の力で図３に示した元の位置へ復帰するように付勢されている。尚、ストッパー３４ａ，ストッパー３４ｂが吊棚１５の奥板２０に取り付けられており、これらに昇降棚１４の背面板４２の上端が当接するように構成されている。その結果、付勢手段によって昇降棚１４がそれ以上上方に移動しないように規制されている。
【００３１】
次に、昇降棚１４の背面側の構成について説明する。昇降棚１４の背面側の奥板２０には、上下に伸びるスライドレール５５がレール保持体５６ａ，レール保持体５６ｂを介して取り付けられている。レール保持体５６ａ，レール保持体５６ｂは図５に示されているように断面Ｌ字形状を有しており、その各々の垂直部材の間にスライドレール５５が取り付けられている。スライドレール５５のスライド側の部材には矩形平板形状の平板５７が取り付けられ、平板５７は昇降棚１４の背面板４２の背面側に固定されている。したがって、昇降棚１４はスライドレール５５を介してスムーズに上下に移動できるように構成されている。又、この移動をより安定した状態で行なえるようにするために、背面板４２の背面にガイド片４１ａ，ガイド片４１ｂが突出している。そして図４に示されているように、奥板２０に取り付けられているガイドバー４０ａ，ガイドバー４０ｂの各々にガイド片４１ａ，ガイド片４１ｂが係合した状態で上下に移動できるように構成されている。
【００３２】
次に、この昇降装置の移動阻止手段について説明する。
【００３３】
図２に示されているように昇降棚１４の側面板２２ａ，側面板２２ｂの各々の下方部に軸２４を中心として回動自在なレバー２３が取り付けられている。レバー２３の前方側の端部には両側のレバー２３に掛け渡すようにハンドル２５が取り付けられている。ハンドル２５は側面板２２の下方部に形成された長穴形状の開口２７内を貫通しており、結果としてハンドル２５は開口２７内を自由に移動できるように構成されている。又、昇降棚１４の下方部であってハンドル２５の奥側には外方に凹んだ曲面状の塞ぎ板３０が全面に取り付けられている。これはハンドル２５を操作した際に手が必要以上に奥側に移動しないようにこれを保護するためのものである。
【００３４】
一方、レバー２３の他方部には長穴２９が形成され、この長穴２９に貫通した状態でピン２８が係合している。ピン２８の内方側端部は昇降棚１４の背面に沿って上方に伸びる連結バー３１に取り付けられている。連結バー３１ａ，連結バー３１ｂは、図４に示されているように各々の上端においてピン４７ａ，ピン４７ｂを介してアーム４９ａ，アーム４９ｂに回動自在に取り付けられている。尚、図４に示されているように移動阻止手段は左右対称に一対設けられているため、以後の説明では右側の方についてのみ説明する。
【００３５】
図６は、この移動阻止手段の要部のみを概略的に説明するための拡大図である。
【００３６】
図を参照して、アーム４９ａはピン４８ａに対して回動自在に取り付けられている。ピン４８ａは昇降棚１４の背面板４２から後方に突出するようにして形成された支持片３８ａに取り付けられている。
【００３７】
アーム４９ａの中央側の端部にはピン６１を介して回動自在に揺動体５４ａが取り付けられている。そして揺動体５４ａの先端側にはピン６３を介して回動自在のローラー６２が取り付けられている。
【００３８】
又、昇降棚１４の背面板４２の背面側にはくさび体５０ａが取り付けられている。くさび体５０ａのスライドレール５５側の面は、レール保持体５６ａの垂直板５９ａとの間隔が下方に行くに従って狭まる傾斜面６４となっている。そしてくさび体５０ａの傾斜面６４とレール保持体５６ａの垂直板５９ａとの間のスペースにローラー６２が上下に出し入れ自在となるように構成されている。すなわち、ローラー６２は最下方の位置では傾斜面６４と垂直板５９ａとに同時に接した状態となり、その位置から上方の位置にあってはローラー６２は傾斜面６４及び垂直板５９ａのいずれか一方にのみ接した状態となるように構成されている。
【００３９】
くさび体５０ａの外方側の面には突出部５１ａが取り付けられ、この突出部５１ａとアーム４９ａのピン４８ａより中央側の位置との間に引張バネ５２ａが掛け渡されている。この引張バネ５２ａによってアーム４９ａはピン４８ａを中心に反時計方向回りに常時付勢された状態となる。次にこの昇降装置の使用方法について説明する。
【００４０】
まず図１に示した昇降棚の格納状態からの使用について説明する。この時図２に示された状態となっているため、吊棚１５の下方部から手を伸ばし、ハンドル２５を掴んで下方向に力を加える。この時図６に示す移動阻止手段は実線に示した位置にある。すなわち、ローラー６２は、くさび体５０ａの傾斜面６４とレール保持体５６ａの垂直板５９ａとに同時に接した状態となっている。この時ハンドル２５に加わった力によって昇降棚１４は下方向に移動しようとする。すなわち、昇降棚１４の背面側に固定されているくさび体５０ａ及びローラー６２は共に垂直板５９ａに対して下方向に移動しようとする。
【００４１】
この場合、傾斜面６４と垂直板５９ａとの間隔は上方に行くに従って大きくなるように構成されている。したがって、くさび体５０ａの下方向の移動に対してローラー６２は、接触力が弱くなるためブレーキ機能を発揮することがない。そのため、くさび体５０ａと共にローラー６２はスムーズにスライドレール５５に対して下方向に移動することが可能となる。
【００４２】
図７はこのようにして下方に引き出された昇降棚１４の状態を示した正面図であり、図８は図７で示したＶＩＩＩ−ＶＩＩＩラインの拡大断面図である。
【００４３】
図を参照して、所望の位置まで昇降装置１３を下方に引き出すとその位置でハンドル２５から手を離せば良い。この時図６に示した移動阻止手段は実線で示した位置のままである。この時上述のようにベルト３３を介して昇降装置１３に対しては上方向に移動させるための付勢力が働いている。したがって、昇降装置１３はこの付勢力によって上方に移動しようとする。すなわち、昇降装置１３の背面に取り付けられたくさび体５０ａもレール保持体５６ａの垂直板５９ａに対して上方向に移動しようとする。
【００４４】
ところが傾斜面６４の形状によって、ローラー６２に対して傾斜面６４と垂直板５９ａとによって両側から押え付けられるような力が生じることになる。これによってローラー６２によるブレーキ機能が発揮され、それ以上くさび体５０ａは上方に移動しない状態となる。その結果、昇降装置１３はベルト３３の付勢力に関わらずその位置で移動が停止することになる。このようにして昇降装置１３を枠体から引き出し所望の位置に自在に停止させることが可能となる。これにより、昇降棚１４内に収納されている台所用品等を下方の位置で容易に取り出すことができるため使い勝手が良い。
【００４５】
次に下方に引き出された昇降棚を元の位置に戻すための動作について説明する。
【００４６】
図８に示されているように下方に引き出された昇降棚１４を元の位置に戻すためには、ハンドル２５に接続されているハンドル２５を手で掴み、上方向に持ち上げる。この動作は、持ち上げる方向と手の方向とが一致するため極めて自然なものとなり使い勝手が良い。すると、図６に示されているように移動阻止手段は破線で示した状態に変化する。すなわち、ハンドル２５を持ち上げることによってピン２８ａの位置が下がり、これによって連結バー３１ａも下方向に移動する。この移動に伴ってピン４７ａを介してアーム４９ａはピン４８ａを中心として時計方向回りに回転する。すると、その先端部の揺動体５４ａを介して取り付けられたローラー６２は破線で示す位置に移動することになる。
【００４７】
ところがくさび体５０ａの位置は元の位置のままであるため、ローラー６２はくさび体５０ａの傾斜面６４及びレール保持体５６ａの垂直板５９ａのいずれか一方にのみ接した状態にしかならない。一方、上述のように昇降棚１４すなわちくさび体５０ａには上方向に移動させるための付勢力が常時働いている。したがってローラー６２によるブレーキ効果が消滅するやいなや、くさび体５０ａすなわち昇降棚１４はスライドレール５５に対して上方向に移動を開始することになる。そして図６に示す移動阻止手段が破線で示されている位置になっている限りにおいては、昇降棚１４の上方への移動は継続することになる。
【００４８】
昇降棚１４が更に上昇すると、その上端が図３に示したストッパー３４ａ，ストッパー３４ｂに当接することによって停止して、図２に示すような元の位置に復帰する。尚、この復帰の途中においてハンドル２５から手を離すと、図６に示すように引張バネ５２ａの引張作用によって移動阻止手段は実線の位置に戻る。これによってローラー６２によってブレーキ機能が発揮され昇降棚１４はその位置で停止することになる。又、その位置からハンドル２５を介して昇降棚１４に下方向に力を加えると、上述のようにローラー６２によるブレーキ効果は発揮されないためスムーズに下方向に移動させることが可能となる。
【００４９】
尚、上記の実施の形態では、昇降棚は吊棚の奥に設置しているが、昇降棚の前には何もなくても良い。この場合、少なくとも昇降棚がその近傍を移動するものであれば、それは枠体の概念に入るものである。
【００５０】
又、上記の実施の形態では、昇降棚は垂直下方に引き出し自在となっているが、斜め下方に引き出し自在であっても同様の構成により同様の効果を奏する。
【００５１】
更に、上記の実施の形態では、移動阻止手段を特定構造としているが、これに代えて他の構造であっても良い。又、移動阻止手段はスライドレールの両側に一対設けられているが、片側のみであっても良いし、その取付け位置も例えば昇降棚の側面版に設けるように構成しても良い。
【００５２】
更に、上記の実施の形態では、付勢手段を特定構造としているが、これに代えて他の構造であっても良い。又、付勢力を昇降棚の重量より小さく設定して、昇降棚の持ち上げる力を補助するように構成しても良い。この場合、昇降棚の自重によって自然に下降することを防止するために、同様の移動阻止手段を下降停止用に別途設けるように構成しても良い。
【００５３】
更に、上記の実施の形態では、移動阻止手段としてハンドルを含むように構成されているが、ハンドルに代えて他の部材を操作することによって移動阻止手段を制御するように構成しても良い。
【図面の簡単な説明】
【００５４】
【図１】この発明の第１の実施の形態による昇降装置を組み込んだ状態の台所の外観図である。
【図２】図１で示したＩＩ−ＩＩラインの拡大断面図である。
【図３】図２で示したＩＩＩ−ＩＩＩラインの断面図である。
【図４】図２で示したＩＶ−ＩＶラインの断面図である。
【図５】図２で示したＶ−Ｖラインの拡大断面図である。
【図６】この発明の第１の実施の形態による昇降装置の移動阻止手段の概略構成を示した図である。
【図７】図１に示した状態から昇降装置を作動させて昇降棚を下方に引き出した状態を示した図である。
【図８】図７で示したＶＩＩＩ−ＶＩＩＩラインの拡大断面図である。
【図９】従来の台所における家具等の設置状態を示した概略図である。
【図１０】図９で示したＸ−Ｘラインの拡大断面図である。
【符号の説明】
【００５５】
１３…昇降装置
１４…昇降棚
１９…背板
２０…奥板
２３…レバー
２５…ハンドル
３１…連結バー
３２…巻取りドラム
３３…ベルト
４４…側板
４９…アーム
５０…くさび体
５２…引張バネ
５４…揺動体
５５…スライドレール
５６…レール保持体
５９…垂直板
６４…傾斜面
尚、各図中同一符号は同一又は相当部分を示す。
【図１】
2006305063.tif 000003
【図２】
2006305063.tif 000004
【図３】
2006305063.tif 000005
【図４】
2006305063.tif 000006
【図５】
2006305063.tif 000007
【図６】
2006305063.tif 000008
【図７】
2006305063.tif 000009
【図８】
2006305063.tif 000010
【図９】
2006305063.tif 000011
【図１０】
2006305063.tif 000012